(57)【要約】      （修正有）【課題】歯ブラシ用のブリスターパックにおいて、歯ブラシを確実に保持しつつ歯ブラシの視認性の向上を図ることで、店頭展示性に優れる歯ブラシ容器を提供する。【解決手段】台紙３と、歯ブラシ２を収容する収容部４１を形成し、台紙３に貼着されたブリスター４と、からなり、台紙３は、歯ブラシ２の一部を視認可能とする透明部３４を有し、台紙３の表面３ａを店頭展示側とする表示面とされ、台紙３とブリスター４とが封止された状態で、収容部４１に収容される歯ブラシ２の少なくとも一部が台紙３とブリスター４によって押圧されている。【選択図】図３
2014114044.tif 000002
【特許請求の範囲】
【請求項１】
基材と、歯ブラシを収容する収容部を形成し、前記基材に貼着されたブリスターと、からなる歯ブラシ容器であって、
前記基材は、歯ブラシの一部を視認可能とする透明部を有し、
前記基材の前記ブリスター側とは反対側の表面を店頭展示側とする表示面とされ、
前記基材と前記ブリスターとが封止された状態で、前記収容部に収容される歯ブラシの少なくとも一部が前記基材と前記ブリスターによって押圧されていることを特徴とする歯ブラシ容器。
【請求項２】
前記歯ブラシの被押圧部を押圧する前記基材及び前記ブリスターのそれぞれの支持部の剛性が異なるとともに、その剛性が小さい方が弾性変形可能な部材からなることを特徴とする請求項１に記載の歯ブラシ容器。
【請求項３】
前記透明部は、前記基材の、前記歯ブラシの被押圧部を押圧する支持部であり、前記ブリスターよりも剛性が小さいシートから形成されていることを特徴とする請求項１又は２に記載の歯ブラシ容器。
【請求項４】
前記基材は、接着剤と、透過性を有する窓部を有する紙材と、該紙材を被覆する透明シートと、が前記ブリスター側から順に積層されていることを特徴とする請求項１乃至３のいずれか１項に記載の歯ブラシ容器。
【発明の詳細な説明】
【技術分野】
【０００１】
本発明は、歯ブラシを収容する歯ブラシ容器に関する。
【背景技術】
【０００２】
従来、この種の歯ブラシ容器として、例えば下記特許文献１に示されているような、歯ブラシの特徴を視認し易く、店頭展示性に優れ、生産性に優れているブリスターパックが知られている。このようなブリスターパックを差別化するために、台紙においては打ち抜き形状の多様化や、台紙表面の素材や意匠の工夫による外観の差別化が行われ、中には台紙の透明化を図ることによる差別化も行われている。透明なブリスター部においては、歯ブラシを斜めの姿勢で収容する成形形状での差別化も行われ、更に、台紙の表面において部分的に印刷やラベルの貼着を行って、商品の特徴を表示するという差別化も行われている。
【先行技術文献】
【特許文献】
【０００３】
【特許文献１】実開昭５９−２６７４３号公報
【発明の概要】
【発明が解決しようとする課題】
【０００４】
しかしながら、従来の歯ブラシ容器では、以下のような問題があった。
すなわち、上記した特許文献１の歯ブラシ容器では、台紙の表面側で歯ブラシが収容されるブリスター部分がドーム状に突出している。そのため、ドーム状に凸となるブリスターの稜線が台紙表面に表示される文字やデザインと重なることにより、その文字等が見え難くなり、店頭展示性が低下するという問題があった。
【０００５】
また、従来のブリスターパックによる歯ブラシ容器では、搬送時等の揺れや衝撃を受けることで、硬い収容部内で硬い歯ブラシが動いて回転する等、姿勢が変わることがあり、例えば差別化を目的として斜め姿勢で前記収容部に歯ブラシを収容しても、その姿勢を確実に保持することができないことから、その点で改善の余地があった。
【０００６】
本発明は、このような事情に鑑みてなされたものであって、歯ブラシ用のブリスターパックにおいて、歯ブラシを確実に保持しつつ歯ブラシの視認性の向上を図ることで、店頭展示性に優れた歯ブラシ容器を提供することを目的とする。
【課題を解決するための手段】
【０００７】
上記目的を達成するため、本発明に係る歯ブラシ容器では、基材と、歯ブラシを収容する収容部を形成し、前記基材に貼着されたブリスターと、からなる歯ブラシ容器であって、前記基材は、歯ブラシの一部を視認可能とする透明部を有し、前記基材の前記ブリスター側とは反対側の表面を店頭展示側とする表示面とされ、前記基材と前記ブリスターとが封止された状態で、前記収容部に収容される歯ブラシの少なくとも一部が前記基材と前記ブリスターによって押圧されていることを特徴としている。
【０００８】
本発明では、基材に透視可能な透明部を設けることで、基材の店頭展示側となる表面側から基材の裏面側に設けられるブリスターに収容されている歯ブラシの一部を前記透明部を介して視認することができる。この場合、基材の表面側にブリスターが設けられていないので、透明部を除いた表面部分に印刷される表示が見易く、表面側に凸状のブリスターがある従来の場合にように、そのブリスターの稜線などで基材表面に印刷される表示が見えにくくなることがなく、店頭表示性の向上を図ることができる。
また、歯ブラシ容器を裏面側から見ることで、ブリスターの収容部に収容されている歯ブラシ全体を視認することができる。
【０００９】
しかも、基材の表面に歯ブラシやブリスターが突出していないので、歯ブラシ容器の表面がすっきりとした見た目となり、商品イメージを高められるという利点もある。そして、基材の表面側に歯ブラシが配置されないので、透明部を除いた部分のすべてが印刷範囲となり、表面における印刷可能な面積を増大させることが可能となる。
【００１０】
さらに、ブリスターの収容部内に収容される歯ブラシの一部を基材とブリスターによって押圧することにより、歯ブラシの姿勢を保持することができるので、歯ブラシが収容部内でずれたり、姿勢が変わることがなくなり、透明部を介して表面側より歯ブラシが見えにくくなるのを防ぐことができる。このように歯ブラシの位置決めや固定を基材とブリスターとの間で押圧するだけで容易に行うことができ、歯ブラシを所望の姿勢でブリスター内に収容することができる。例えば、従来、収容部内において保持が難しいとされる斜め姿勢で歯ブラシを収容した場合でも、その姿勢を変動させずに保持することができる。
【００１１】
また、本発明の歯ブラシ容器では、前記歯ブラシの被押圧部を押圧する前記基材及び前記ブリスターのそれぞれの支持部の剛性が異なるとともに、その剛性が小さい方が弾性変形可能な部材からなることが好ましい。
【００１２】
この場合には、歯ブラシが前記基材及び前記ブリスターのいずれかの弾性変形により保持されるので、歯ブラシの被押圧部における保持力を高めることができる。
【００１３】
また、本発明の歯ブラシ容器では、前記透明部は、前記基材の、前記歯ブラシの被押圧部を押圧する支持部であり、前記ブリスターよりも剛性が小さいシートから形成されていることが好ましい。
【００１４】
この場合には、歯ブラシが透明部のシートによって押圧されて収容部内で保持されるので、基材には硬い材質のものを使用することができる。そのため歯ブラシ容器としての剛性を確保しつつ、上述した歯ブラシの被押圧部に対してより大きな保持力を持たせることが可能となる。しかも、基材の透明部を剛性の小さいシートから形成することによって、ブリスターに収容される歯ブラシに対する密着性を高めることができる。
【００１５】
また、本発明の歯ブラシ容器では、前記基材は、接着剤と、透過性を有する窓部を有する紙材と、該紙材を被覆する透明シートと、が前記ブリスター側から順に積層されていることが好ましい。
【００１６】
この場合には、歯ブラシ容器を構成する基材として、紙台紙やユポのような合成紙を好適に使用することができる。
【発明の効果】
【００１７】
本発明に係る歯ブラシ容器によれば、歯ブラシ用のブリスターパックにおいて、歯ブラシを確実に保持しつつ歯ブラシの視認性の向上を図ることで、優れた店頭展示性を確保することができるという効果を奏する。
【図面の簡単な説明】
【００１８】
【図１】本発明の実施の形態よる歯ブラシ容器を表面側から見た平面図である。
【図２】図１に示すＡ−Ａ線矢視図であって、歯ブラシ容器の側面図である。
【図３】歯ブラシ容器を裏面側から見た平面図である。
【図４】図３に示すＢ−Ｂ線矢視図であって、歯ブラシ容器を歯ブラシの底部側から見た側面図である。
【図５】図３に示すＣ−Ｃ線断面図であって、歯ブラシの被押圧部を示す図である。
【図６】歯ブラシ容器の台紙表面に表示を印刷した一例を示す平面図であって、図１に対応する図である。
【発明を実施するための形態】
【００１９】
以下、本発明による歯ブラシ容器の実施の形態について図面を参照して説明する。
図１及び図２に示す本実施の形態の歯ブラシ容器１は、台紙３（基材）と、歯ブラシ２（図３参照）の収容部４１を形成し、台紙３の裏面３ｂに貼着されたブリスター４と、を備えている。
【００２０】
歯ブラシ２は、図３に示すように、植毛部２１、首部２２、ハンドル部２３からなる。なお、植毛部２１には、図示しないキャップを被着させたものであっても良い。歯ブラシ２は、台紙３の裏面３ｂに対して植毛部２１が表面３ａ側を向く斜め姿勢で配置させてブリスター４の収容部４１に収容され、ブリスター４の外周部が台紙３の裏面３ｂに接着されている。
【００２１】
台紙３は、 図１及び図３に示すように、収容される歯ブラシ２が配置される長方形状の本体部３１と、本体部３１の長手方向の一端に連設されるとともに該本体部３１を店頭に陳列する際に図示しない棒状部材等に係止するための係止部３２と、を備えている。係止部３２には、本体部３１との間に鍵形状の凹部３３が形成されている。
【００２２】
台紙３には、ブリスター４の収容部４１内に収容される歯ブラシ２の一部（本実施の形態では歯ブラシ２の植毛部２１、首部２２、及びハンドル部２３の首部２２側の一部）を表面３ａ側から視認可能とする透明部３４が形成されている。図１に示すように、具体的に透明部３４の形状は、斜め姿勢の歯ブラシ２の植毛部２１に対応する位置に配置される円形状の第１透明部３４ａと、この第１透明部３４ａに連設して歯ブラシ２の首部２２及びハンドル部２３の幅寸法に沿って細長く延びる第２透明部３４ｂと、から形成されている。
【００２３】
台紙３は、接着剤と、透過性を有する窓部３５を有する紙材と、紙材を被覆する透明シートとが、ブリスター４側（裏面３ｂ側）から表面３ａ側に向かう順に積層されている。ここで、前述した紙部の窓部３５を透明シートで覆う部分が前記透明部３４となる。
接着剤としては、例えばヒートシール剤やホットメルトタイプのもの等が一例として挙げられる。紙材としては、例えば２７０ｇ／ｍ２のものを採用することができる。また、透明シートとしては、ポリエチレンテレフタレート（ＰＥＴ）等の樹脂が挙げられる。また、透明シートと紙材との間にはエポキシ等の接着剤が用いられる。
なお、台紙３は、紙台紙のみではなく、ユポのような合成紙を好適に使用することができる。
【００２４】
ブリスター４は、図２及び図３に示すように、台紙３の裏面３ｂの全面にわたって接着されており、その一部に歯ブラシ２を収容することが可能な収容部４１を形成している。収容部４１は、歯ブラシ２の植毛部２１を収容する第１周壁部４２と、首部２２及びハンドル部２３を収容する第２周壁部４３と、が連設している。第２周壁部４３には、ハンドル部２３の底部側の位置で第１周壁部４２と同じ高さ寸法となる形状に膨出された第３周壁部４４（図４参照）を備えている。
【００２５】
ブリスター４としては、例えばポリエステル系樹脂、ポリカーボネート系樹脂、ポリエチレン系樹脂、ポリプロピレン系樹脂、ポリスチレン系樹脂等が挙げられ、とくに透明性に優れるポリエステル系樹脂のポリエチレンテレフタレート樹脂が好ましい。
【００２６】
そして、図５に示すように、歯ブラシ容器１は、台紙３の表面３ａを店頭展示側とする表示面とされ、台紙３とブリスター４とが封止された状態で、収容部４１に収容される歯ブラシ２のハンドル部２３の一部分（被押圧部２ａ）が台紙３における窓部３５内の透明部３４とブリスター４によって押圧されている。
また、歯ブラシ２の被押圧部２ａを押圧する台紙３の透明部３４及びブリスター４のそれぞれの支持部の剛性が異なるとともに、その剛性が小さい透明部３４が弾性変形可能な部材からなる。
【００２７】
次に、上述したように構成された歯ブラシ容器１の作用について説明する。
図１に示すように、本実施の形態では、台紙３に透視可能な透明部３４を設けることで、台紙３の店頭展示側となる表面３ａ側から台紙３の裏面３ｂ側に設けられるブリスター４に収容されている歯ブラシ２の一部を前記透明部３４を介して視認することができる。この場合、台紙３の表面３ａ側にブリスター４が設けられていないので、透明部３４を除いた表面部分に印刷される表示が見易く、表面３ａ側に凸状のブリスターがある従来の場合にように、そのブリスターの稜線などで台紙表面に印刷される表示が見えにくくなることがなく、店頭表示性の向上を図ることができる。
また、歯ブラシ容器１を裏面３ｂ側から見ることで、ブリスター４の収容部４１に収容されている歯ブラシ２全体を視認することができる。
【００２８】
しかも、台紙３の表面３ａに歯ブラシ２やブリスター４が突出していないので、歯ブラシ容器１の表面がすっきりとした見た目となり、商品イメージを高められるという利点もある。
そして、図６に示すように、台紙３の表面３ａ側に歯ブラシ２が配置されないので、透明部３４を除いた部分のすべてが印刷範囲となり、表面３ａにおける印刷可能な面積を増大させることが可能となる。
【００２９】
さらに、本実施の形態では、ブリスター４の収容部４１内に収容される歯ブラシ２の一部を台紙３とブリスター４によって押圧することにより、歯ブラシ２の姿勢を保持することができるので、歯ブラシが収容部内でずれたり、姿勢が変わることがなくなり、透明部３４を介して表面３ａ側より歯ブラシ２が見えにくくなるのを防ぐことができる。このように歯ブラシ２の位置決めや固定を台紙３（ここでは透明部３４）とブリスター４との間で押圧するだけで容易に行うことができ、歯ブラシ２を所望の姿勢でブリスター４内に収容することができる。すなわち本実施の形態のように、歯ブラシ２を収容部４１内において斜め姿勢で収容した場合でも、その姿勢を変動させずに保持することができる。
【００３０】
また、本実施の形態では、透明部３４がブリスター４よりも剛性が小さいシートから形成され、歯ブラシ２が透明部３４の弾性変形により保持されるので、歯ブラシ２の被押圧部２ａにおける保持力を高めることができる。そして、歯ブラシ２が透明部３４のシートによって押圧されて収容部４１内で保持されるので、台紙３には硬い材質のものを使用することができる。そのため、歯ブラシ容器１としての剛性を確保しつつ、上述した歯ブラシ２の被押圧部２ａに対してより大きな保持力を持たせることが可能となる。しかも、台紙３の透明部３４を剛性の小さい前記透明シートから形成することによって、ブリスター４に収容される歯ブラシ２に対する密着性を高めることができる。
【００３１】
上述のように本実施の形態による歯ブラシ容器１では、歯ブラシ用のブリスターパックにおいて、歯ブラシ２を確実に保持しつつ歯ブラシ２の視認性の向上を図ることで、優れた店頭展示性を確保することができるという効果を奏する。
【００３２】
以上、本発明に係る歯ブラシ容器の実施の形態について説明したが、本発明は上記した実施の形態に限定されるものではなく、その趣旨を逸脱しない範囲で適宜変更可能である。
【００３３】
例えば、本実施の形態では、基材として台紙３を使用しているが、例えばプラスチック等の他の材質の基材を用いることも可能である。
また、本実施の形態では、歯ブラシ２のハンドル部２３の一部を押圧しているが、この被押圧部２ａの位置は歯ブラシ２の形状等に応じて任意に変更することができる。また、歯ブラシの被押圧部２ａの箇所は、複数箇所に設けられていても良い。さらに、本実施の形態では、透明部３４（透明シート）で歯ブラシ２の被押圧部２ａを押圧しているが、これに限定されず、台紙３の紙材部分で被押圧部２ａを押圧するようにしても良い。
【００３４】
また、透明部３４の材質、形状は、歯ブラシ２の形状や収容する姿勢、或いは台紙３の表面３ａの表示部の面積などに応じて任意に設定することができる。例えば、表面３ａに印刷される表示を少なくし、表面３ａ側からの歯ブラシ２の見える割合を大きくしたい場合には透明部３４の面積を大きくすればよいし、前記印刷される表示面積を増やしたい場合には透明部３４の面積を小さくすればよい。
【００３５】
さらに、本実施の形態では、透明部３４の透明シートを弾性変形可能とし、ブリスター４の剛性よりも小さい構成としているが、歯ブラシ２を押圧する支持部において、一方の部材の剛性を小さくすることで押圧することに限定されることがなく、双方の部材の剛性をそれぞれ小さくするようにしてもよい。
【００３６】
その他、本発明の趣旨を逸脱しない範囲で、上記した実施の形態における構成要素を周知の構成要素に置き換えることは適宜可能である。
【符号の説明】
【００３７】
１  歯ブラシ容器
２  歯ブラシ
２ａ  被押圧部
３  台紙（基材）
３ａ  表面
３ｂ  裏面
４  ブリスター
３４  透明部
３４ａ  第１透明部
３４ｂ  第２透明部
３５  窓部
４１  収容部
【図１】
2014114044.tif 000003
【図２】
2014114044.tif 000004
【図３】
2014114044.tif 000005
【図４】
2014114044.tif 000006
【図５】
2014114044.tif 000007
【図６】
2014114044.tif 000008